(57)【要約】【課題】垂直同期周波数が約６０Ｈｚの映像信号から垂直同期周波数が５０Ｈｚの映像信号へ切り替える際、表示画面上に線状のノイズ画像を表示することを防止することができる。【解決手段】受信された映像信号が第１の映像信号か第２の映像信号かを判定するフォーマット判定手段１２と、判定結果に応じて映像信号に含まれる時系列的に連続したフィールド画像データから実フィールド画像データを生成する信号変換手段１３と、生成された実フィールド画像データを予め定められた記憶領域に記憶する画像記憶手段１４と、画像記憶手段１４から時系列順に読み出した実フィールド画像データに基づいて表示手段１７に映像を表示させる表示制御手段１６と、電源投入信号が供給された場合に、表示手段１７に黒色表示させるためのマスクデータを少なくとも画像記憶手段１４の予め定められた記憶領域以外の記憶領域に記憶させる初期化手段１７とを備える。【選択図】      図１
2008311986.tif 000002
【特許請求の範囲】
【請求項１】
映像信号の垂直同期周波数が第１の周波数を有する一方のテレビジョン放送方式の映像と、映像信号の垂直同期周波数が前記第１の周波数とは異なる第２の周波数を有する他方のテレビジョン放送方式の映像とを切り替えて表示する映像表示装置であって、
前記映像信号の垂直同期周波数が前記第１又は第２の周波数であるかを検知して、前記映像信号が前記一方又は他方のいずれのテレビジョン放送方式に応じた映像信号であるかを判定するフォーマット判定手段と、
前記フォーマット判定手段により判定されたテレビジョン放送方式に応じて、前記映像信号に含まれる飛び越し走査のフィールド画像データを順次走査のフィールド画像データとなるように変換して実フィールド画像データを生成する信号変換手段と、
前記信号変換手段により生成された前記実フィールド画像データを予め定められた記憶領域に記憶する画像記憶手段と、
前記画像記憶手段に記憶された前記実フィールド画像データを時系列順に読み出し、読み出した前記実フィールド画像データに基づいて表示手段に映像を表示させる表示制御手段と、
外部より電源投入信号が供給された場合に、前記表示手段に黒色表示させるためのマスクデータを少なくとも前記画像記憶手段の前記予め定められた記憶領域以外の記憶領域に記憶させる初期化手段と、
を備えたことを特徴とする映像表示装置。
【請求項２】
映像信号の垂直同期周波数が第１の周波数を有する一方のテレビジョン放送方式の映像と、映像信号の垂直同期周波数が前記第１の周波数とは異なる第２の周波数を有する他方のテレビジョン放送方式の映像とを切り替え、切り替えた映像の垂直同期周波数に対して複数倍の垂直同期周波数で前記映像を表示する映像表示装置であって、
前記映像信号の垂直同期周波数が前記第１又は第２の周波数であるかを検知して、前記映像信号が前記一方又は他方のいずれのテレビジョン放送方式に応じた映像信号であるかを判定するフォーマット判定手段と、
前記フォーマット判定手段により判定されたテレビジョン放送方式に応じて、前記映像信号に含まれる飛び越し走査のフィールド画像データを順次走査のフィールド画像データとなるように変換して実フィールド画像データを生成する信号変換手段と、
前記信号変換手段により生成された順に並び合う複数の前記実フィールド画像データに基づいて、これら複数の前記実フィールド画像データに基づく画像を補間して表示するための１又は複数の補間フィールド画像データを生成する補間画生成手段と、
前記信号変換手段により生成された前記実フィールド画像データと前記補間画生成手段により生成された前記補間フィールド画面データとを予め定められた記憶領域に記憶する画像記憶手段と、
前記画像記憶手段に記憶された前記実フィールド画像データ及び前記補間フィールド画像データとを時系列順に読み出し、読み出した前記実フィールド画像データ及び前記補間フィールド画像データに基づいて、前記補間フィールド画像データの数に応じた垂直同期周波数の倍率で表示手段に映像を表示させる表示制御手段と、
外部より電源投入信号が供給された場合に、前記表示手段に黒色表示させるためのマスクデータを少なくとも前記画像記憶手段の前記予め定められた記憶領域以外の記憶領域に記憶させる初期化手段と、
を備えたことを特徴とする映像表示装置。
【発明の詳細な説明】
【技術分野】
【０００１】
本発明は、映像信号の垂直同期周波数が第１の周波数を有する一方のテレビジョン放送方式の映像と、映像信号の垂直同期周波数が第１の周波数とは異なる第２の周波数を有する他方のテレビジョン放送方式の映像とを切り替えて表示する映像表示装置に関する。
【背景技術】
【０００２】
世界におけるテレビジョン放送には、垂直同期周波数が約６０ＨｚのＮＴＳＣ方式や、垂直同期周波数が５０ＨｚのＰＡＬ方式、ＳＥＣＡＭ方式の３種類の放送方式があり、各国毎に採用される放送方式が異なっている。しかし、国によっては、複数の方式の放送を受信できる場合もあり、また、ＶＴＲの普及により、例えばＰＡＬ方式を採用している国でもＮＴＳＣ方式のＶＴＲソフトを楽しむためＮＴＳＣ方式のテレビジョン受像機の需要がある。このような背景のもとにこれら複数の方式の信号を受信、及び表示できるテレビジョン受像機が開発されている。
【０００３】
一方、昨今のテレビジョン受像機には、飛び越し走査により画面表示を行うインターレース方式を採用したものの他、表示画面のちらつきを少なくするため、順次走査により画面表示を行うプログレッブ方式を採用したものもある。プログレッブ方式では、インターレース方式で放送されたテレビジョン放送波に基づいて生成した映像信号をメモリに記憶し、記憶した映像信号を順次走査となるように変換した新たな映像信号を記憶すると共に、この映像信号に基づいて映像を表示する。そのため、プログレッシブ方式が採用されたテレビジョン受像機では、映像を表示するのに若干の時間的なずれが生じていた。
【０００４】
これにより、垂直同期周波数が約６０Ｈｚ及び５０Ｈｚのテレビジョン放送波を受信可能なテレビジョン受像機において、約６０Ｈｚの映像信号と５０Ｈｚの映像信号とを切り替える際、表示画面上に線状のノイズ画像が表示される場合があった。
【０００５】
図１３は、垂直同期周波数が約６０Ｈｚの映像信号から５０Ｈｚの映像信号への切り替える切り替え処理を説明した説明図である。図１３（ａ）は、テレビジョン受像機によりメモリに記憶される１フィールド当りの映像信号の残りデータ量を示し、図１３（ｂ）は、テレビジョン受像機により表示する１フィールド当りの映像信号の残りデータ量を示している。
【０００６】
図１３（ａ）に示すように、テレビジョン受像機は、Ｔ０時からインターレース方式で放送された約６０Ｈｚのテレビジョン放送波に基づいて生成した映像信号をメモリに記憶しており、Ｔ６時において受信するテレビジョン放送波の垂直同期周波数が約６０Ｈｚの信号から５０Ｈｚの信号に切り替わっている。ここで、データ１０１乃至１０３は、メモリに記憶される垂直同期周波数が約６０Ｈｚの１フィールド当りの映像信号の残りデータ量を示し、データ１０４及び１０５は、メモリに記憶される垂直同期周波数が５０Ｈｚの１フィールド当りの映像信号の残りデータ量を示している。
【０００７】
そして、テレビジョン受像機は、図１３（ｂ）に示すように、図１３（ａ）に示すデータ１０１を順次走査となるように変換してデータ２０１を生成して、この生成したデータ２０１に基づいて映像を表示させる。同様に、テレビジョン受像機は、図１３（ａ）に示すデータ１０２乃至１０５に基づいて、それぞれ図１３（ｂ）に示すデータ２０２乃至２０５を生成し、表示させる。
【０００８】
そのため、図１３（ａ）に示すように、受信するテレビジョン放送波の垂直同期周波数が約６０Ｈｚの信号から５０Ｈｚの信号に切り替わったＴ６時において、データ１０３がメモリに記憶されており、テレビジョン受像機は、このデータ１０３が変換されて生成された図１３（ｂ）のデータ２０３に基づいて映像を表示する。そして、Ｔ８時において、データ２０３に基づく映像を表示し終えたので、Ｔ８時からＴ９時までの間、テレビジョン受像機は、不定データ２０６を読み出し、これに基づいて映像を表示する。
【０００９】
図１４は、メモリのアドレス空間の状態を示した説明図である。
【００１０】
図１４に示すアドレス空間４０１は、画面に表示するための映像信号が記憶される予め定められた記憶領域であり、アドレス空間４０２は、通常データが書き込まれることのない記憶領域である。
【００１１】
図１４に示すように、通常テレビジョン受像機は、アドレス空間４０１に記憶されたデータに基づいて画面に映像を表示する。しかし、垂直同期周波数の切り替えにより、図１３（ｂ）に示したＴ８時からＴ９時までの間、テレビジョン受像機は、アドレス空間４０１に記憶されたデータを読み終え、記憶領域４０２に記憶された不定データ２０６を読み出し、この不定データ２０６に基づいて表示画面に映像を表示する。これにより、テレビジョン受像機は、表示画面上に線状のノイズ画像が表示することになる。テレビジョン受像機は、垂直同期周波数の切り替え時において、全画面黒色表示しているので、このように不定データに基づく線状のノイズ画像を表示すると、利用者にとって、非常に目障りであった。
【００１２】
また、昨今のテレビジョン受像機では、画面の大面積フリッカを低減するため、実フィールドに基づいて生成した補間フィールドを生成し、実フィールドと補間フィールドとを組み合わせて、走査速度の倍速化を施すフィールド倍速変換回路を適用したものもある（例えば、特許文献１参照）。
【特許文献１】特開平５−２３６３９９号公報
【発明の開示】
【発明が解決しようとする課題】
【００１３】
しかしながら、特許文献１に記載のフィールド倍速変換回路を適用したテレビジョン受像機では、実フィールドに基づいて生成した補間フィールドを生成し、実フィールドと補間フィールドとを組み合わせて、走査速度の倍速化を施すので、上述した表示画面上に表示される線状のノイズ画像がより広範囲に表示される場合があった。
【００１４】
図１３（ｃ）は、倍速化が施された映像表示装置により表示する１フィールド当りの映像信号の残りデータ量を示している。
【００１５】
図１３（ｃ）に示すように、テレビジョン受像機は、図１３（ａ）に示すデータ１０１を順次走査となるように変換してデータ３０１を生成し、生成したデータ３０１に基づいて映像を表示させる。次に、テレビジョン受像機は、Ｔ３時からＴ４時の間、図１３（ａ）に示すデータ１０１とデータ１０２とから補間データを生成し、生成した補間データを順次走査となるように変換して補間データ３０７を生成する。そして、この生成した補間データ３０７に基づいて映像を表示させる。このように、図１３（ａ）に示すデータ１０２乃至１０５に基づいて図１３（ｃ）に示すデータ３０２乃至３０５を生成して表示し、図１３（ａ）に示するデータ１０２乃至１０５に基づいて図１３（ｃ）に示す補間データ３０８乃至３１１を生成して表示する。
【００１６】
そのため、図１３（ｂ）に示した例と同様に、受信するテレビジョン放送波の垂直同期周波数が約６０Ｈｚの信号から５０Ｈｚの信号に切り替わったＴ６時において、データ１０３がメモリに記憶されている。そして、テレビジョン受像機は、Ｔ６時からＴ７時の間は、データ１０３に基づいて生成された図１３（ｃ）のデータ３０３に基づいて映像を表示し、Ｔ７時からＴ８時の間は、データ１０３及びデータ１０４から生成した補間データ３０９に基づいて映像を表示する。そして、Ｔ８時において、テレビジョン受像機は、補間データ３０９に基づく映像を全て表示したので、Ｔ８時からＴ９時までの間、不定データ３０６を読み出し表示する。
【００１７】
このように、テレビジョン受像機は、不定データ３０６を読み出し映像を表示するので、表示画面上に線状のノイズ画像が表示することになる。また、図１３（ｂ）におけるデータ２０３に対する不定データ２０６の比率に比較して、図１３（ｃ）におけるデータ３０９に対する不定データ３０６の比率の方が大きいので、倍速化が施されたテレビジョン受像機の方が、より画面上に線状のノイズ画像が広範囲に表示される場合がある。
【００１８】
本発明は、上記課題に鑑みてなされたものであり、入力信号を垂直同期周波数が約６０Ｈｚの映像信号から垂直同期周波数が５０Ｈｚの映像信号へ切り替える際、表示画面上に線状のノイズ画像を表示することを防止する映像表示装置を提供することを目的とする。
【課題を解決するための手段】
【００１９】
上記目的を達成するため、本発明に係る映像表示装置の第１の特徴は、映像信号の垂直同期周波数が第１又は第２の周波数であるかを検知して、映像信号が前記一方又は他方のいずれのテレビジョン放送方式に応じた映像信号であるかを判定するフォーマット判定手段と、フォーマット判定手段により判定されたテレビジョン放送方式に応じて、映像信号に含まれる飛び越し走査のフィールド画像データを順次走査のフィールド画像データとなるように変換して実フィールド画像データを生成する信号変換手段と、信号変換手段により生成された実フィールド画像データを予め定められた記憶領域に記憶する画像記憶手段と、画像記憶手段に記憶された実フィールド画像データを時系列順に読み出し、読み出した実フィールド画像データに基づいて表示手段に映像を表示させる表示制御手段と、外部より電源投入信号が供給された場合に、表示手段に黒色表示させるためのマスクデータを少なくとも画像記憶手段の予め定められた記憶領域以外の記憶領域に記憶させる初期化手段とを備えたことにある。
【００２０】
上記目的を達成するため、本発明に係る映像表示装置の第２の特徴は、映像信号の垂直同期周波数が第１又は第２の周波数であるかを検知して、映像信号が前記一方又は他方のいずれのテレビジョン放送方式に応じた映像信号であるかを判定するフォーマット判定手段と、フォーマット判定手段により判定されたテレビジョン放送方式に応じて、映像信号に含まれる飛び越し走査のフィールド画像データを順次走査のフィールド画像データとなるように変換して実フィールド画像データを生成する信号変換手段と、信号変換手段により生成された順に並び合う複数の実フィールド画像データに基づいて、これら複数の実フィールド画像データに基づく画像を補間して表示するための１又は複数の補間フィールド画像データを生成する補間画生成手段と、信号変換手段により生成された実フィールド画像データと補間画生成手段により生成された補間フィールド画面データとを予め定められた記憶領域に記憶する画像記憶手段と、画像記憶手段に記憶された実フィールド画像データ及び補間フィールド画像データとを時系列順に読み出し、読み出した実フィールド画像データ及び補間フィールド画像データに基づいて、補間フィールド画像データの数に応じた垂直同期周波数の倍率で表示手段に映像を表示させる表示制御手段と、外部より電源投入信号が供給された場合に、表示手段に黒色表示させるためのマスクデータを少なくとも画像記憶手段の予め定められた記憶領域以外の記憶領域に記憶させる初期化手段とを備えたことにある。
【発明の効果】
【００２１】
本発明に係る映像表示装置によれば、垂直同期周波数が第１の周波数を有する一方のテレビジョン放送方式の映像と、映像信号の垂直同期周波数が第１の周波数とは異なる第２の周波数を有する他方のテレビジョン放送方式の映像とを切り替えて表示する際、表示画面上に線状のノイズ画像を表示することを防止することができる。
【発明を実施するための最良の形態】
【００２２】
以下、本発明を実施するための最良の形態について図面を参照して説明する。
【００２３】
＜第１の実施形態＞
本発明の第１の実施形態では、第１の周波数を有する一方のテレビジョン放送方式としてＰＡＬ方式の映像信号と、他方のテレビジョン放送方式としてＮＴＳＣ方式の映像信号とを受信可能であり、受信した映像信号に基づいて映像を切り替え表示する映像表示装置について説明する。なお、ＰＡＬ方式の映像信号は、飛び越し走査で垂直同期周波数が５０Ｈｚと規定されており、ＮＴＳＣ方式の映像信号は、飛び越し走査で垂直同期周波数が約６０Ｈｚと規定されている。
【００２４】
図１は、本発明の第１の実施形態である映像表示装置の構成を示す構成図である。
【００２５】
図１に示すように、第１の実施形態である映像表示装置１は、受信手段１１と、フォーマット判定手段１２と、信号変換手段１３と、画像記憶手段１４と、表示制御手段１６と、表示手段１７と、初期化手段１８とを備える。
【００２６】
受信手段１１は、チューナー等の伝送系の信号処理の機能を有し、アンテナ等からＰＡＬ方式又はＮＴＳＣ方式のテレビジョン放送波を受信し、受信したテレビジョン放送波から映像信号及び音声信号を生成してフォーマット判定手段１２へ供給する。また、ＶＴＲ装置などの外部機器より、垂直同期周波数が５０Ｈｚ又は６０Ｈｚの映像信号及び音声信号を受信し、フォーマット判定手段１２へ供給する。
【００２７】
フォーマット判定手段１２は、受信手段１１から供給された映像信号の垂直同期周波数が５０Ｈｚであるか、又は６０Ｈｚであるかを検知して、供給された映像信号がＰＡＬ方式の映像信号であるかＮＴＳＣ方式の映像信号であるかを判定する。
【００２８】
信号変換手段１３は、フォーマット判定手段１２の判定結果に応じて、受信された映像信号に含まれる時系列的に連続した飛び越し走査のフィールド画像データを順次走査のフィールド画像データとなるように変換して実フィールド画像データを生成する。
【００２９】
画像記憶手段１４は、信号変換手段１３により生成された実フィールド画像データを予め定められた記憶領域に記憶する。
【００３０】
表示制御手段１６は、画像記憶手段１４に記憶された実フィールド画像データを時系列順に読み出し、読み出した実フィールド画像データに基づいて表示手段１７に映像を表示させる。
【００３１】
表示手段１７は、例えば液晶ディスプレイ等であり、表示制御手段１６からの制御信号に従い、映像を表示する。
【００３２】
初期化手段１８は、外部入力装置等から電源投入信号が供給された場合に、表示手段１７に黒色表示させるためのマスクデータを少なくとも画像記憶手段１４の実フィールド画像データを記憶するための予め定められた記憶領域以外の記憶領域に記憶させる。
【００３３】
≪作用≫
以下に、本発明の第１の実施形態である映像表示装置１の作用について説明する。
【００３４】
図２は、本発明の第１の実施形態である映像表示装置１の処理手順を示したフローチャートである。
【００３５】
図２に示すように、初期化手段１８は、外部より電源投入信号が入力されると（ステップＳ１０１）、表示手段１７に黒色表示させるためのマスクデータを画像記憶手段１４の全ての記憶領域に記憶させる（ステップＳ１０３）。
【００３６】
また、電源投入信号が入力されると、受信手段１１は、ＰＡＬ方式又はＮＴＳＣ方式のテレビジョン放送波を受信し、受信したテレビジョン放送波から映像信号及び音声信号を生成してフォーマット判定手段１２へ供給する（ステップＳ１０５）。
【００３７】
そして、フォーマット判定手段１２は、受信手段１１から供給された映像信号の垂直同期周波数が５０ＨｚのＰＡＬ方式の映像信号か、又は約６０ＨｚのＮＴＳＣ方式の映像信号かを判定する（ステップＳ１０７）。
【００３８】
次に、信号変換手段１３は、フォーマット判定手段１２によって判定された判定結果に応じて、受信された映像信号に含まれる飛び越し走査のフィールド画像データを、表示手段１７の表示解像度に変換しオリジナルデータとして画像記憶手段１４に記憶させる。（ステップＳ１０９）。
【００３９】
図３は、画像記憶手段１４に記憶される１フィールド当りのオリジナルデータの残りデータ量を示したタイムチャートである。
【００４０】
図３に示すように、Ｔ０時において、電源投入信号が供給されると、初期化手段１８が、画像記憶手段１４の全ての記憶領域にマスクデータを記憶させた後、信号変換手段１３が、供給された映像信号に含まれる時系列的に連続したフィールド画像データを表示手段１７の表示解像度に変換してオリジナルデータとして画像記憶手段１４に記憶開始させる。
【００４１】
そして、Ｔ０時からＴ２時になるに従って、画像記憶手段１４が記憶したオリジナルデータのデータ量が増加するので、図３に示すように、画像記憶手段１４により記憶されるべき１フィールド当りのオリジナルデータの残りデータ量が減少している。
【００４２】
次に、信号変換手段１３は、フォーマット判定手段１２によって判定された判定結果に応じて、ステップＳ１０９において記憶されたオリジナルデータを順次走査となるように変換し、変換したオリジナルデータを実フィールド画像データとして画像記憶手段１４に記憶させる。（ステップＳ１１１）。
【００４３】
図４は、画像記憶手段１４に記憶される１フィールド当りの実フィールド画像データの残りデータ量を示したタイムチャートである。
【００４４】
図４に示すように、Ｔ１時において、信号変換手段１３が、オリジナルデータ２１を順次走査となるように変換し、変換したデータを画像記憶手段１４に実フィールド画像データ３１として記憶を開始させる。
【００４５】
そして、Ｔ１時からＴ２時になるに従って、実フィールド画像データ３１として画像記憶手段１４に記憶したデータ量が増加するので、図４に示すように、Ｔ１時からＴ２時までの間、画像記憶手段１４が記憶するべき１フィールド当りの実フィールド画像データ３１の残りデータ量が減少している。
【００４６】
次に、表示制御手段１６は、画像記憶手段１４に記憶された実フィールド画像データを読み出し、読み出した実フィールド画像データに基づいて表示手段１７に表示させる（ステップＳ１１３）。
【００４７】
図５は、表示手段１７が１フィールドに表示するための残りデータ量を示したタイムチャートである。
【００４８】
図５に示すように、表示制御手段１６は、Ｔ２時からＴ４時までの間、ステップＳ１１１において記憶された実フィールド画像データ３１を画像記憶手段１４から読み出し、読み出した実フィールド画像データ３１に基づいて、表示手段１７に映像を表示させる。
【００４９】
そして、同様に、受信手段１１が次フィールドの映像信号を受信した場合には、上述したステップＳ１０５乃至Ｓ１１３の処理を繰り返す（ステップＳ１１５）。
【００５０】
これにより、図５に示すように、実フィールド画像データ３１乃至３５に基づく画像が表示手段１７によって表示される。
【００５１】
ここで、図５に示すように、Ｔ６時において、垂直同期周波数が約６０ＨｚのＮＴＳＣ方式の映像信号から垂直同期周波数が５０ＨｚのＰＡＬ方式の映像信号へ切り替えられている。そして、Ｔ８時において、表示制御手段１６は、実フィールド画像データ３３の読み込みを終了しているので、表示手段１７が１フィールドに表示するための残りデータ量は“０”になっている。そのため、表示制御手段１６は、ステップＳ１０３において画像記憶手段１４が記憶したマスクデータ５１を読み出し、読み出したマスクデータ５１に基づいて表示手段１７に映像を表示させる。
【００５２】
図６は、画像記憶手段１４のアドレス空間の状態を示した説明図である。
【００５３】
図６に示すアドレス空間６１は、画面に表示するための実フィールド画像データが記憶される予め定められた記憶領域であり、アドレス空間６２は、通常データが書き込まれることのない記憶領域である。
【００５４】
図６に示すように、映像表示装置１は、アドレス空間６１に記憶されたデータに基づいて画面に映像を表示する。そして、供給される映像信号の切り替えにより、図５に示したＴ８時からＴ９時までの間、表示制御手段１６は、アドレス空間６１に記憶されたデータを読み終え、アドレス空間６２に記憶されたマスクデータ５１を読み出し、このマスクデータ５１に基づいて表示手段１７に黒色を表示させる。
【００５５】
以上のように、外部より電源投入信号が入力された際に、表示手段１７に黒色表示させるためのマスクデータを画像記憶手段１４の全ての記憶領域に記憶させることによって、映像信号の切り替えて表示する際、表示画面上に線状のノイズ画像を表示することを防止することができる。
【００５６】
＜第２の実施形態＞
本発明の第２の実施形態では、本発明の第１の実施形態では、第１の周波数を有する一方のテレビジョン放送方式としてＰＡＬ方式の映像信号と、他方のテレビジョン放送方式としてＮＴＳＣ方式の映像信号とを受信可能であり、受信した映像信号とこの映像信号から生成した補間映像信号とに基づいて、２倍速の垂直同期周波数で映像を表示する映像表示装置について説明する。
【００５７】
図７は、本発明の第２の実施形態である映像表示装置の構成を示す構成図である。
【００５８】
図７に示すように、本発明の第２の実施形態である映像表示装置２は、受信手段１１と、フォーマット判定手段１２と、信号変換手段１３と、画像記憶手段１４と、補間画生成手段１５と、表示制御手段１６と、表示手段１７と、初期化手段１８とを備える。
【００５９】
受信手段１１は、チューナー等の伝送系の信号処理の機能を有し、アンテナ等からＰＡＬ方式又はＮＴＳＣ方式のテレビジョン放送波を受信し、受信したテレビジョン放送波から映像信号及び音声信号を生成してフォーマット判定手段１２へ供給する。また、ＶＴＲ装置などの外部機器より、垂直同期周波数が５０Ｈｚ又は６０Ｈｚの映像信号及び音声信号を受信し、フォーマット判定手段１２へ供給する。
【００６０】
フォーマット判定手段１２は、受信手段１１から供給された映像信号の垂直同期周波数が５０Ｈｚであるか、又は６０Ｈｚであるかを検知して、供給された映像信号がＰＡＬ方式の映像信号であるかＮＴＳＣ方式の映像信号であるかを判定する。
【００６１】
信号変換手段１３は、フォーマット判定手段１２の判定結果に応じて、受信された映像信号に含まれる時系列的に連続した飛び越し走査のフィールド画像データを順次走査のフィールド画像データとなるように変換して実フィールド画像データを生成する。
【００６２】
画像記憶手段１４は、信号変換手段１３により生成された実フィールド画像データと補間画生成手段１５により生成された補間フィールド画像データとを予め定められた記憶領域に記憶する。
【００６３】
補間画生成手段１５は、信号変換手段１３により生成された順に並び合う複数の実フィールド画像データに基づいて、表示手段１７に補間画像を表示するための補間フィールド画像データを生成する。
【００６４】
表示制御手段１６は、画像記憶手段１４に記憶された実フィールド画像データ及び補間フィールド画像データとを時系列順に読み出し、読み出した実フィールド画像データ及び補間フィールド画像データに基づいて、垂直同期周波数の２倍速で表示手段１７に映像を表示させる。
【００６５】
表示手段１７は、例えば液晶ディスプレイ等であり、表示制御手段１６からの制御信号に従い、映像を表示する。
【００６６】
初期化手段１８は、外部入力装置等から電源投入信号が供給された場合に、表示手段１７に黒色表示させるためのマスクデータを少なくとも画像記憶手段１４の実フィールド画像データ及び補間フィールド画像データを記憶するための予め定められた記憶領域以外の記憶領域に記憶させる。
【００６７】
≪作用≫
以下に、本発明の第２の実施形態である映像表示装置２の作用について説明する。
【００６８】
図８は、本発明の第２の実施形態である映像表示装置２の処理手順を示したフローチャートである。
【００６９】
図８に示すように、初期化手段１８は、外部より電源投入信号が入力されると（ステップＳ２０１）、表示手段１７に黒色表示させるためのマスクデータを画像記憶手段１４の全ての記憶領域に記憶させる（ステップＳ２０３）。
【００７０】
また、電源投入信号が入力されると、受信手段１１は、ＰＡＬ方式又はＮＴＳＣ方式のテレビジョン放送波を受信し、受信したテレビジョン放送波から映像信号及び音声信号を生成してフォーマット判定手段１２へ供給する（ステップＳ２０５）。
【００７１】
そして、フォーマット判定手段１２は、受信手段１１から供給された映像信号の垂直同期周波数が５０ＨｚのＰＡＬ方式の映像信号か、又は約６０ＨｚのＮＴＳＣ方式の映像信号かを判定する（ステップＳ２０７）。
【００７２】
そして、信号変換手段１３は、フォーマット判定手段１２によって判定された判定結果に応じて、受信された映像信号に含まれる時系列的に連続した飛び越し走査のフィールド画像データを、表示手段１７の表示解像度に変換しオリジナルデータとして画像記憶手段１４に記憶させる。（ステップＳ２０９）。
【００７３】
図９は、画像記憶手段１４に記憶される１フィールド当りのオリジナルデータの残りデータ量を示したタイムチャートである。
【００７４】
図９に示すように、Ｔ０時において、電源投入信号が供給されると、初期化手段１８が、画像記憶手段１４の全ての記憶領域にマスクデータを記憶させた後、信号変換手段１３が、供給された映像信号に含まれる時系列的に連続した飛び越し走査のフィールド画像データを表示手段１７の表示解像度に変換してオリジナルデータとして画像記憶手段１４に記憶開始させる。
【００７５】
そして、Ｔ０時からＴ２時までの間、画像記憶手段１４が記憶したオリジナルデータ７１のデータ量が増加するので、図９に示すように、画像記憶手段１４により記憶されるべき１フィールド当りのオリジナルデータ７１の残りデータ量が減少している。
【００７６】
次に、信号変換手段１３は、フォーマット判定手段１２によって判定された判定結果に応じて、ステップＳ２０９において記憶されたオリジナルデータ７１を順次走査となるように変換し、変換したオリジナルデータを実フィールド画像データとして画像記憶手段１４に記憶させる。（ステップＳ２１１）。
【００７７】
図１０は、画像記憶手段１４に記憶される１フィールド当りの実フィールド画像データの残りデータ量を示したタイムチャートである。
【００７８】
図１０に示すように、Ｔ１時において、信号変換手段１３が、オリジナルデータ７１を順次走査となるように変換し、変換したデータを画像記憶手段１４に実フィールド画像データ８１として記憶を開始させる。
【００７９】
そして、Ｔ１時からＴ２時までの間、実フィールド画像データ８１として画像記憶手段１４に記憶したデータ量が増加するので、図１０に示すように、Ｔ１時からＴ２時までの間、画像記憶手段１４が記憶するべき１フィールド当りの実フィールド画像データ８１の残りデータ量が減少している。
【００８０】
次に、表示制御手段１６は、画像記憶手段１４に記憶された実フィールド画像データを読み出し、読み出した実フィールド画像データに基づいて表示手段１７に表示させる（ステップＳ２１３）。
【００８１】
図１１は、表示手段１７が１フィールドに表示するための残りデータ量を示したタイムチャートである。
【００８２】
図１１に示すように、表示制御手段１６は、Ｔ２時からＴ３時までの間、ステップＳ２１１において記憶された実フィールド画像データ８１を画像記憶手段１４から読み出し、読み出した実フィールド画像データ８１に基づいて、映像を表示手段１７に表示させる。このとき、表示制御手段１６は、受信したＮＴＳＣ方式の映像信号の垂直同期周波数約６０Ｈｚに対して２倍速の約１２０Ｈｚで表示させる。
【００８３】
次に、補間画生成手段１５は、ステップＳ２１１において記憶された実フィールド画像データに基づいて、表示手段１７に補間画面を表示するための補間フィールド画像データを生成し、生成した補間フィールド画像データを画像記憶手段１４に記憶させる。（ステップＳ２１５）。
【００８４】
図１２は、画像記憶手段１４に記憶される１フィールド当りの補間フィールド画像データの残りデータ量を示したタイムチャートである。
【００８５】
図１２に示すように、Ｔ３時において、補間画生成手段１５が、Ｔ１時の実フィールド画像データ８１とＴ３時の実フィールド画像データ８２に基づいて、表示手段１７に補間画面を表示するためのＴ３時における補間フィールド画像データ９１を生成する。そして、補間画生成手段１５は、Ｔ１時からＴ２時までの間の実フィールド画像データ８１とＴ３時からＴ４時までの実フィールド画像データ８２に基づいて、Ｔ３時からＴ４時の間で補間フィールド画像データ９１を生成する。
【００８６】
そして、補間画生成手段１５は、Ｔ３時からＴ４時まで間、生成した補間フィールド画像データ９１を画像記憶手段１４に記憶させる。そのため、Ｔ３時からＴ４時になるに従って、補間フィールド画像データとして画像記憶手段１４に記憶したデータ量が増加するので、図１２に示すように、画像記憶手段１４により記憶されるべき１フィールド当りの補間フィールド画像データ９１の残りデータ量が減少している。
【００８７】
次に、表示制御手段１６は、画像記憶手段１４に記憶された補間フィールド画像データを読み出し、読み出した補間フィールド画像データに基づいて表示手段１７に表示させる（ステップＳ２１７）。
【００８８】
そして、表示制御手段１６は、図１１に示すように、Ｔ３時からＴ４時までの間、ステップＳ２１３において記憶された補間フィールド画像データ９１を画像記憶手段１４から読み出し、読み出した補間フィールド画像データ９１に基づいて、映像を表示手段１７に表示させる。このとき、表示制御手段１６は、受信したＮＴＳＣ方式の映像信号の垂直同期周波数約６０Ｈｚに対して２倍速の約１２０Ｈｚで表示させる。
【００８９】
さらに、受信手段１１が次フィールドの映像信号を受信した場合には、詳述したステップＳ２０５乃至Ｓ２１７の処理を繰り返す（ステップＳ２１９）。
【００９０】
これにより、図１１に示すように、実フィールド画像データ８１乃至８５、及び補間フィールド画像データ９１乃至９５に基づく画像が表示手段１７によって表示される。
【００９１】
ここで、図１１に示すＴ６時において、垂直同期周波数が約６０ＨｚのＮＴＳＣ方式の映像信号から垂直同期周波数が５０ＨｚのＰＡＬ方式の映像信号へ切り替えられている。そして、Ｔ８時において、表示制御手段１６は、補間フィールド画像データ９３の読み込みを終了しているので、表示手段１７が１フィールドに表示するための残りデータ量は“０”になっている。そのため、表示制御手段１６は、ステップＳ２０３において画像記憶手段１４が記憶したマスクデータ１１１を読み出し、読み出したマスクデータ１１１に基づいて表示手段１７に黒色の映像を表示させる。
【００９２】
以上のように、外部より電源投入信号が入力された際に、表示手段１７に黒色表示させるためのマスクデータを画像記憶手段１４の全ての記憶領域に記憶させることによって、映像信号の切り替え時において、表示画面上に線状のノイズ画像を表示することを防止することができる。
【００９３】
さらに、第２の実施形態である映像表示装置２によれば、倍速表示の影響により広範囲の線状のノイズ画像が表示されることを防止することができる。
【００９４】
なお、第２の実施形態では、２倍速の垂直同期周波数で映像を表示する映像表示装置について説明したが、倍速表示は２倍に限らない。例えば、補間画生成手段１５が生成する補間フィールド画像データを増やし、表示倍率を３倍、４倍とすることもできる。即ち、表示制御手段１６が、実フィールド画像データ及び複数の補間フィールド画像データに基づいて、補間フィールド画像データ数に応じた垂直同期周波数の倍率で表示手段１７に映像を表示させるようにすることもできる。この場合、垂直同期周波数の倍率が高くなるほど、マスクデータの部分の割合が増えるので、その分だけ本発明の効果は大きくなる。
【図面の簡単な説明】
【００９５】
【図１】本発明の第１の実施形態である映像表示装置の構成を示す構成図である。
【図２】本発明の第１の実施形態である映像表示装置の処理手順を示したフローチャートである。
【図３】本発明を構成する画像記憶手段に記憶される１フィールド当りのオリジナルデータの残りデータ量を示したタイムチャートである。
【図４】本発明を構成する画像記憶手段に記憶される１フィールド当りの実フィールド画像データの残りデータ量を示したタイムチャートである。
【図５】本発明を構成する表示手段が１フィールドに表示するための残りデータ量を示したタイムチャートである。
【図６】本発明を構成する画像記憶手段のアドレス空間の状態を示した説明図である。
【図７】本発明の第２の実施形態である映像表示装置の構成を示す構成図である。
【図８】本発明の第２の実施形態である映像表示装置の処理手順を示したフローチャートである。
【図９】本発明を構成する画像記憶手段に記憶される１フィールド当りのオリジナルデータの残りデータ量を示したタイムチャートである。
【図１０】本発明を構成する画像記憶手段に記憶される１フィールド当りの実フィールド画像データの残りデータ量を示したタイムチャートである。
【図１１】本発明を構成する表示手段が１フィールドに表示するための残りデータ量を示したタイムチャートである。
【図１２】本発明を構成する画像記憶手段に記憶される１フィールド当りの補間フィールド画像データの残りデータ量を示したタイムチャートである。
【図１３】垂直同期周波数が約６０Ｈｚの映像信号から５０Ｈｚの映像信号への切り替え処理を説明した説明図である。
【図１４】メモリのアドレス空間の状態を示した説明図である。
【符号の説明】
【００９６】
１，２…映像表示装置
１１…受信手段
１２…フォーマット判定手段
１３…信号変換手段
１４…画像記憶手段
１５…補間画生成手段
１６…表示制御手段
１７…表示手段
１８…初期化手段
【図１】
2008311986.tif 000003
【図２】
2008311986.tif 000004
【図３】
2008311986.tif 000005
【図４】
2008311986.tif 000006
【図５】
2008311986.tif 000007
【図６】
2008311986.tif 000008
【図７】
2008311986.tif 000009
【図８】
2008311986.tif 000010
【図９】
2008311986.tif 000011
【図１０】
2008311986.tif 000012
【図１１】
2008311986.tif 000013
【図１２】
2008311986.tif 000014
【図１３】
2008311986.tif 000015
【図１４】
2008311986.tif 000016